(57)【要約】【課題】  異鍵カードや鉄板等をカード挿入通路に挿入しても内部機構を破損しないようにしたカード錠の破損防止機構 を提供する。【解決手段】  鍵カード４をカードスリットに挿入することによって磁性ピン２２、２２を動かし、更に鍵カードをカードスリットの奥に押し入れることにより解錠するようにしたカード錠において、カードスリットの奥にウォードピンを固設し、これに対応して、鍵カードの挿入端にウォードピンが係入する切欠を形成する。【選択図】  図１０
2008240295.tif 000002
【特許請求の範囲】
【請求項１】
基枠に固定され、解錠操作時鍵カードが挿入されるカードスリットと、基枠に固定された固定ブロックと、この固定ブロックに対し、カードスリットに挿入された鍵カードの幅方向に相対移動可能に案内され、施錠時タンブラーを介してこの固定ブロックに係止されると共に、常時施錠位置方向に付勢される可動ブロックと、カードスリットの内端付近における固定ブロックに回動自在に支承された全体の形状がＬ字形のレバー体で、一端をカードスリットに挿入された鍵カードの挿入端に、他端を可動ブロックに夫々係合可能に望ませた解除レバーとを有し、カードスリットに鍵カードが挿入されたとき、タンブラーによる係止が解かれて固定ブロックに対して可動ブロックが自由になるカード錠において、カードスリットの奥にウォードピンを固設し、これに対応して、鍵カードの挿入端にウォードピンが係入する切欠を形成したことを特徴とするカード錠の破損防止機構。
【発明の詳細な説明】
【技術分野】
【０００１】
この発明は、カード錠の破損防止機構（以下単に破損防止機構という）に係り、特に、異鍵カードや鉄板等をカード挿入通路に挿入しても内部機構を破損しないようにした破損防止機構に関する。
関する。
【背景技術】
【０００２】
本出願人は、先に、下記特許文献１を以て、新規な複合カード錠を提案し、この複合カード錠は現在実用されている。
【０００３】
この複合カード錠は、図１乃至図３に示すように、室内側に開口し、係合孔１、１を開口させた錠カード２を収納する内側カードスリット３、および、室外側に開ロし、係合孔１、１を開口させた鍵カード４が挿入される外側カードスリット５をほぼ同一平面上に連設した鎖錠箱６と、この鎖錠箱６内に固設され、上記カードスリツトにほぼ垂直なタンブラースリット７の複数を鍵カード４の幅方向に連設した固定ブロツク８と、全体の形状が略Ｔ字形の板状体で、そのＴ字の横バーが上記内側および外側カードスリット３、５に跨るように各タンブラースリット７に収納され、横バーのカードスリット側の端緑にＴ字の縦バーに関して対称的に突設された係合孔検知用の一対の検知突起９、９が、カードスリットに挿入されたカードに押圧される方向に付勢されると共に、カードの厚さ方向に少なくともカードの厚み分移動できるように、かつ揺動できるように案内された揺動タンブラー１１の複数と、上記固定ブロック８に関してカードスリットとは反対側に配設され、鍵カード４の幅方向に摺動可能に案内されると共に、施錠状態において各揺動タンプラー１１の縦バーの先端の揺動を許容する逃げスリツト１２、１２、および、揺動タンブラーの縦バーがカードスリツトにほぼ垂直な直立状態にあるとき、固定ブロック外に突出するその揺動端が係入する貫通溝１３、１３を逃げスリツト１２に直交するように形成した可動ブロック１４と、上記固定および可動ブロック８、１４の摺接面を揺動タンブラーの外側においてカードの厚さ方向に貫通し、該貫通方向に移動可能に案内されると共に、鍵カードに押圧される方向に付勢された少なくとも１組のタンブラーピン１５およびドライバーピン１６とを有し、タンブラーピン１５の先端が当接する鍵カード４の部位におけるき孔の有無に応じて、タンブラーピンとドライバーピンとの接合面が固定およぴ可動ブロック８、１４の摺接面に整合するようにタンブラーピン１５の長さを設定したことを特徴とするものである。
【０００４】
また、本出願人は、後記特許文献２を以て、新規な磁石カード錠を提案し、この磁石カード錠も現在実用さされている。
【０００５】
この磁石カード錠は、図４及び図５に示すように、複数の第１ピン孔１７、１７を有する固定の基準部材１８及び複数の第２ピン孔１９、１９を有する移動部材２１を対向させて、かつ相互に摺動可能に設け、基準部材１８に対する移動部材２１の相対的移動を拘束し又は許容するために、対応する第１ピン孔１７及び第２ピン孔１９に跨って保持されるか、或いは一方のピン孔に保持される任意数の磁性ピン２２を備え、移動部材２１を拘束させた際の磁性ピンを磁力により作動させてシアラインに合わせるようにするための所要の着磁部を備えた合カードを、基準部材１８又は移動部材２１に近接させて差し込めるようにしたカード挿入通路２３を設けてなり、合カードによって基準部材１８から自由になった移動部材２１により錠機構を制御するようにした磁石カード錠において、移動部材２１をカード挿入方向と直角方向に移動できるように案内すると共に、基枠２４と移動部材２１の前方部との間に弾装された戻しばね２５の弾力により移動部材２１を施錠位置方向に付勢し、一方、基枠２４におけるカード挿入通路の後方に、平面形がＬ字形で、一端を挿入される合カードの前端に対向させ、他端を移動部材の後方部に対向させるようにした伝達レバー２６を回動可能に枢着し、伝達レバー２６の他端と移動部材２１の後方部との間に移動部材の戻しばねよりも弾力が大きい押しばね２７を弾装したことを特徴とするものである。
【特許文献１】特公平０４−０２６３８８号公報
【特許文献２】特開平０７−２９３０６６号公報
【発明の開示】
【発明が解決しようとする課題】
【０００６】
上記のように構成されたカード錠は、何れも、すなわち、特許文献１に記載されたものも、或いは特許文献２に記載されたものも、鍵カードをカードスリット（カード挿入通路）に挿入することにより、固定ブロック（基準部材）と可動ブロック（移動部材）とを相互に固定していたタンブラーを動かし、可動ブロック（移動部材）を固定ブロック（基準部材）から自由にする。
【０００７】
そして、特許文献１に記載されたカード錠は例えばドアハンドルに連動する図示しない解除部材により、或いは、特許文献２に記載されたカード錠はカードスリットに挿入された合カードを解錠後更に奥に挿入することにより、可動ブロック（移動部材）を鍵カードの挿入方向に対し直角方向に動かし、この動きを利用して例えばデッドボルト等の錠止機構を制御する。
【０００８】
しかして、特許文献１に記載されたカード錠においては、図６に示すように、外側カードスリットに挿入した鍵カード４を更に奥に（図６では下方に）押動することにより、解除レバー軸２８の回りを回動可能に支承された解除レバー２９を駆動する。
【０００９】
但し、この場合図６に示した後記ウォードピン３４は本願発明の構成部材であるから、上記の説明においてはこれを無視するものとする。
【００１０】
上記解除レバー２９は、第１乃至第３レバー３１、３２及び３３を相互にリンク結合してなり、その内第１及び第２レバー３１、３２は相互の関係角度が小さくなるように強い捩りコイルばね（図示しない）が弾装されているが、図示しないストッパーにより常態においてはほぼ直角の関係角度を保っている。
【００１１】
また、第２及び第３レバー３２、３３は相互に自由に回動できるようにリンク結合され、その結果、図７に示すように鍵カード４を図６よりも更に下方に押動したとき、第１及び第２レバー３１、３２が相互の関係角度を変えないで一体的に時計方向に回動し、第１レバー１の自由端により可動ブロック１４（図１参照）を図７で左方に移動させる。
【００１２】
このとき、直線的に（図６及び図７で上下方向に）案内された第３レバー１３と第２レバー３２との相対角度が変るが、上記したように第２及び第３レバー３２、３３は相互に自由に回動できるので、これらの間に抉りが生じることはない。
【００１３】
一方、特許文献２に記載の発明による磁石カード錠においては、図４及び図５に示すように、図示しない合カードをカード挿入通路２３に挿入してこれを図４で上方に押動すれば、カード錠が解錠、施錠何れの場合でも合カードの先端が伝達レバー２６の一端を押動してこれを時計方向に回動させる。
【００１４】
カード錠が解錠されていれば、移動部材２１が基準部材１８から自由になっているから、伝達レバー２６の他端が移動部材２１をおしばね２６を介して図４で左方に押動し、この動きを利用してデッドボルト等の錠止部材を制御する。
【００１５】
しかしながら、上記特許文献１に記載の発明によるカード錠も、特許文献２のそれも、合カードとは異なる異カードをカードスリットに挿入したり、或いは合いカードでも前後を逆に挿入したり、又は、磁石ピンの剪断を目論んで薄い鉄板などを挿入した場合には、当然のことながらカード錠は解錠されない。
【００１６】
一方、何れのカード錠でも、鉄板などをカードスリットに強く押込んだ場合、特許文献１に記載されたカード錠では前記強い捩りコイルばねが、請求項２に記載されたカード錠では押しばね２７が夫々弾性変形するのみで、カードスリットに異カードを押込む力は磁石ピンに伝達されないようになっている。
【００１７】
しかしながら、上記強い捩りコイルばね、或いは押しばね２７は弾力が相当大きいので、これらに強い外力を繰り返し加えることによりばねの弾性の限界を越え、ばねがへたることがある、など未だ改良の余地がある。
【００１８】
そこで、この発明は、カード錠の押しばねなどを変形させることによるばねのへたりを無くすことができる破損防止機構を提供することを目的としている。
【課題を解決するための手段】
【００１９】
上記の目的を達成するため、請求項１に記載の発明は、基枠に固定され、解錠操作時鍵カードが挿入されるカードスリットと、基枠に固定された固定ブロックと、この固定ブロックに対し、カードスリットに挿入された鍵カードの幅方向に相対移動可能に案内され、施錠時タンブラーを介してこの固定ブロックに係止されると共に、常時施錠位置方向に付勢される可動ブロックと、カードスリットの内端付近における固定ブロックに回動自在に支承された全体の形状がＬ字形のレバー体で、一端をカードスリットに挿入された鍵カードの挿入端に、他端を可動フロックに夫々係合可能に望ませた解除レバーとを有し、カードスリットに鍵カードが挿入されたとき、タンブラーによる係止が解かれて固定ブロックに対して可動ブロックが自由になるカード錠において、カードスリットの奥にウォードピンを固設し、これに対応して、鍵カードの挿入端にウォードピンが係入する切欠を形成したことを特徴とする。
【発明の効果】
【００２０】
上記のように構成された請求項１に記載の発明による破損防止機構は、合カードをカードスリットに挿入したときにはウォードピンが合カードの切欠に係入して合カードに干渉しないので、カード錠の作動に何ら干渉しない。
【００２１】
一方、不正解錠の目的で、又は誤操作により鉄板を、或いは合カードを逆向きにしてカードスリットに挿入した場合には、挿入端がウォードピンと衝接してそれ以上の移動を規制されるので、解除レバーに過大な外力が作用することが無く、したがってカード錠の内部機構の破損、或いはばね部材の塑性変形などを防止することができる、という所期の効果を奏する。
【発明を実施するための最良の形態】
【００２２】
カードスリットの奥にウォードピンを固定し、これに対応して、鍵カードの挿入端にウォードピンが係入する切欠を形成する、という簡単な構成で、誤操作または不正解錠の目的での鉄板の挿入などによるカード錠の内部機構の破損、或いはばね部材の塑性変形などを防止することができた。
【実施例１】
【００２３】
以下、この発明の第１の実施例を図６乃至図９を参照して説明する。
なお、これらの図に示したカード錠は、図１乃至図３に示すものと作動原理は同じであるが機構が少し異なり、鍵カードとして図１に示す鍵カード１及び錠カード２を合体させたものを用いているが、そのカード錠の構造の差異はこの発明の要旨ではないので、更に詳細な説明は省略する。
【００２４】
図６乃至図９において符号３４はウォードピンを示し、このウォードピン３４はカードスリット３５(図８及び図９参照)の奥に固設されている。
【００２５】
図示の実施例では、このウォードピン３４はカードスリット３５の天井板にかしめにより固定されている。
【００２６】
このウォードピン３４に対応して、図７に示すように、鍵カード４の挿入端にウォードピン３４が係入できる切欠３６が形成されている。
【００２７】
なお、この切欠３６の深さ、換言すれば切欠３６の図７における上下方向の寸法は、図７に示すようにウォードピン３４が切欠３６に係入してその底部に当接したとき、鍵カード４の挿入端縁が前記解除レバー２９を押動して錠止機構を制御できるように設定されている。
【００２８】
上記のように構成されたこの発明の第１の実施例による破損防止機構は、図７に示すように正規の鍵カードを正しい方向でカードスリットに挿入した場合には、カード錠を解錠し、かつ、錠止機構を制御できる。
【００２９】
一方、図６に示すように正規の鍵カードを逆向きにカードスリットに挿入した場合、或いは鉄板を挿入した場合には、そのカード或いはカード状の板状体はウォードピン３４に衝止され、カード或いはカード状の板状体を更に押し込もうとする力はウォードピン３４を介してカード錠の固定ブロックに坦持されるので、カード錠の機能ブロックやばね部材が破損することはない。
【実施例２】
【００３０】
図１０乃至図１２はこの発明の第２の実施例を示し、この実施例は、この発明を図４及び図５に示すカード錠に適用したものである。
【００３１】
この第２の実施例において、符号３４はウォードピンを示し、このウォードピン３４カードスリット３５の奥に固設されている。
【００３２】
図示の実施例においては、このウォードピン３４は板状の基準部材１８(図４及び図５参照)にかしめにより固定されている。
【００３３】
このウォードピン３４に対応して、図１０に示すように、鍵カード４の挿入端にウォードピン３４が係入できる切欠３６が形成されている。
【００３４】
上記のように構成された実施例２による破損防止機構は、前記実施例１による破損防止機構と同様であるから、更に詳細な説明は省略する。
【図面の簡単な説明】
【００３５】
【図１】従来の複合カード錠の構成部材を展開して示す外観斜視図。
【図２】その鍵カード挿入方向に垂直な平面による断面図で、鍵カードが合カードの場合を示す。
【図３】その鍵カード挿入方向に垂直な平面による断面図で、鍵カードが異カードの場合を示す。
【図４】従来の磁石カード錠の平面図。
【図５】その鍵カード挿入方向に平行な平面による断面図。
【図６】この発明を適用した複合カード錠の平面図で、異カードをカードスリットに挿入した場合を示す。
【図７】この発明を適用した複合カード錠の平面図で、合カードをカードスリットに挿入した場合を示す。
【図８】この発明を適用した複合カード錠の鍵カード挿入方向に平行な平面による断面図。
【図９】この発明を適用した複合カード錠の鍵カード挿入方向に垂直な平面による断面図。
【図１０】この発明を適用した磁石カード錠の平面図。
【図１１】その鍵カード挿入方向に平行な平面による断面図。
【図１２】その鍵カード挿入方向に平行な別の平面による断面図。
【符号の説明】
【００３６】
１  係合孔
２  錠カード
３  内側カードスリット
４  鍵カード
５  外側カードスリット
６  鎖錠箱
７  タンブラースリット
８  固定ブロック
９  検知突起
１１  揺動タンブラー
１２  逃げスリット
１３  貫通溝
１４  可動ブロック
１５  タンブラーピン
１６  ドライバーピン
１７  第１ピン孔
１８  基準部材
１９  第２ピン孔
２１  移動部材
２２  磁性ピン
２３  カード挿入通路
２４  基枠
２５  戻しばね
２６  伝達レバー
２７  押しばね
２８  解除レバー軸
２９  解除レバー
３１  第１レバー
３２  第２レバー
３３  第３レバー
３４  ウォードピン
３５  カードスリット
３６  切欠
【図１】
2008240295.tif 000003
【図２】
2008240295.tif 000004
【図３】
2008240295.tif 000005
【図４】
2008240295.tif 000006
【図５】
2008240295.tif 000007
【図６】
2008240295.tif 000008
【図７】
2008240295.tif 000009
【図８】
2008240295.tif 000010
【図９】
2008240295.tif 000011
【図１０】
2008240295.tif 000012
【図１１】
2008240295.tif 000013
【図１２】
2008240295.tif 000014